(57)【要約】  ポールヘッド（３）とポールキャリア（４）を備えた少なくとも１つのポールユニット（２）と、ポールヘッド（３）とポールキャリア（４）との間に配置され、固定接点（１２）と可動接点（８、２０）とを備えた真空切換え管（５）とを有し、固定接点（１２）が第１の接続手段（１３）を介してポールユニット（２）の第１の電流母線（６）と接続され、可動接点（８）が第２の接続手段（１１）を介してポールユニット（２）の第２の電流母線（７）と接続されているパワースイッチ、特に高電流スイッチを、比較的高い電流負荷をかけることができるように改良するため、第１の接続手段（１３）が第１の電流母線（６）および固定接点（１２）と溶接され、第２の接続手段（１１）が第２の電流母線（７）および可動接点（８、２０）と溶接されている。
2009536429.tif 000002
【特許請求の範囲】
【請求項１】
ポールヘッド（３）とポールキャリア（４）とを備えた少なくとも１つのポールユニット（２）と、ポールヘッド（３）とポールキャリア（４）との間に配置され、固定接点（１２）と可動接点（８、２０）とを備えた真空切換え管（５）とを有し、固定接点（１２）が第１の接続手段（１３）を介してポールユニット（２）の第１の電流母線（６）と接続され、可動接点（８）が第２の接続手段（１１）を介してポールユニット（２）の第２の電流母線（７）と接続されているパワースイッチにおいて、
第１の接続手段（１３）が第１の電流母線（６）および固定接点（１２）と溶接され、第２の接続手段（１１）が第２の電流母線（７）および可動接点（８、２０）と溶接されているパワースイッチ。
【請求項２】
第２の電流母線（７）が可撓性の導電体（２２、２３）を有し、該可撓性の導電体（２２、２３）および第２の接続手段（１１）と溶接されている請求項１記載のパワースイッチ。
【請求項３】
接続手段（１１、１３）が電子線溶接されている請求項１又は２記載のパワースイッチ。
【発明の詳細な説明】
【技術分野】
【０００１】
本発明は、ポールヘッドとポールキャリアとを備えた少なくとも１つのポールユニットと、ポールヘッドとポールキャリアとの間に配置され、固定接点と可動接点とを備えた真空切換え管とを有し、固定接点が第１の接続手段を介してポールユニットの第１の電流母線と接続され、可動接点が第２の接続手段を介してポールユニットの第２の電流母線と接続されているパワースイッチ、特に高電流スイッチに関する。
【背景技術】
【０００２】
この種のパワースイッチは、例えばシーメンス社発行の“Siemens HG 11.11、1999年”から知られている。この印刷物に開示されているパワースイッチとしての高電流スイッチは、各々ポールヘッドとポールキャリアとを備えた３つのポールユニットと、ポールヘッドとポールキャリアとの間に各々配置される真空切換え管とを含んでいる。真空切換え管の固定接点と可動接点とはポールユニットの第１および第２の電流母線と接続されている。前記接点をこれら電流母線と接続させるため、この公知のパワースイッチでは、接続手段が一方では各々の接点に螺着され、他方では各々の電流母線に螺着されている。
【発明の開示】
【発明が解決しようとする課題】
【０００３】
本発明の課題は、冒頭で述べた種類のパワースイッチを、比較的高い電流負荷をかけることができるように改良することである。
【課題を解決するための手段】
【０００４】
この課題は、本発明によれば、冒頭で述べた種類のパワースイッチにおいて、第１の接続手段が第１の電流母線および固定接点と溶接され、第２の接続手段が第２の電流母線および可動接点と溶接されていることによって解決される。
【０００５】
第１の接続手段および第１の電流母線と固定接点との間および第２の接続手段および第２の電流母線と可動接点との間に溶接個所が設けられていることで、摩擦および溶接による強固な結合領域が形成されている。この結合領域により、第１の電流母線から真空切換え管を経て第２の電流母線へ至る電流経路は十分な機械的安定性を有し、特に接続手段の領域に螺合部を設ける必要がない。これは、螺合部での温度はパワースイッチの周囲温度に対し６５ないし７５ｋ以上高くてはならないので、有利である。溶接によりこのような問題はなくなり、よってパワースイッチ全体の電流負荷は著しく高められている。
【０００６】
有利な構成では、第２の電流母線は、可撓性の導電体を有し、該可撓性の導電体および第２の接続手段と溶接されている。
【０００７】
特に有利な実施態様では、接続手段は電子線溶接されている。電子線溶接は、溶接継ぎ目を高精度に実施可能であるので、特に有利である。
【発明を実施するための最良の形態】
【０００８】
次に、本発明を、図面と添付の図に関わる実施形態とを用いてより詳細に説明する。
【０００９】
図１は、高電流用のパワースイッチとしての高電流スイッチを横断面図で示す。パワースイッチ１は、切換えるべき交流電流の３相のための３つのポールユニットを含み、そのうち図面に図示したのは符号２を付した１つのポールユニットのみである。ポールユニット２はポールヘッド３とポールキャリア４とを含み、ポールヘッド３とポールキャリア４との間には、ポールユニット２の第１の電流母線６と第２の電流母線７との間で電流を切換えるための真空切換え管５の形態で接点システム５が配置されている。真空切換え管５の可動接点８は駆動棒９を介してパワースイッチの駆動ユニット１０と連結され、この場合駆動ユニット１０は、接点システム５の可動接点８に切換え運動を導入するよう構成されている。可動接点８は第２の接続手段１１により第２の電流母線７と接続されている。真空切換え管５の固定接点１２は第１の接続手段１３を介して第１の電流母線６と導電接続されている。ポールユニット２は支持装置１４と１５によりパワースイッチ１の保持壁１６に固定されている。
【００１０】
図２は真空切換え管５の固定接点１２の領域での詳細横断面図である。筒状スタッドの形態を持つ真空切換え管５の固定接点１２は、該固定接点１２のスタッドに対応する繰り抜き部を有している銅板の形態の第１の接続手段１３に対し、領域１７において周辺部を電子線溶接されており、これによって固定接点１２と第２の接続手段１３との間に前記の強固な結合部が形成されている。第２の接続手段１３は更に領域１８において第１の電流母線６に対し、同様に電子線溶接されている。安定化のため、両電流母線間に、アルミニウムスペーサ１９が配置されている。
【００１１】
図３は図１の真空切換え管５の可動接点の領域の詳細図である。可動接点８は、その先細り端部２０において、該可動接点８のスタッド２０に対応する繰り抜き部を備えた銅板からなる第２の接続手段１１に対し、領域２１にて周辺部を電子線溶接されている。可撓性の導電体２２と２３は領域２４において第２の接続手段１１に対し、同様に電子線溶接され、領域２６と２７においては第２の電流母線７と電子線溶接されている。領域２１、２４、２５、２６、２７における強固な結合部により、可撓性の導電体２２及び２３と可動接点８の領域に固定手段として他の螺着部は必要ない。
【００１２】
図１から解るように、ポールヘッド３とポールキャリア４は、高電流により固定接点１２又は可動接点８の領域に発生する熱を逃がすための冷却体３ａ又は４ａを備えている。高電流スイッチ１を接続するため、第１の電流母線６には固定手段２８が設けられ、そして第２の電流母線７には固定手段２９が設けられ、固定手段２８と２９は、各々第１の電流母線６および第２の電流母線７を例えばスイッチ装置の母線と螺合させるために設けられている。冷却体３ａと４ａにより、螺合部２８又は２９の領域での温度が周囲温度に対し６５ないし７５ｋ以下しか高くない必要範囲にあるように、導電部品の温度が低下せしめられる。
【図面の簡単な説明】
【００１３】
【図１】本発明によるパワースイッチの横断面図である。
【図２】固定接点の領域の詳細図である。
【図３】可動接点の領域の詳細図である。
【符号の説明】
【００１４】
１  パワースイッチ、２  ポールユニット、３  ポールヘッド、４  ポールキャリア、５真空切換え管、６、７  電流母線、８  可動接点、９  駆動棒、１０  駆動ユニット、１１、１３  接続手段、１２  固定接点、  １４、１５  支持装置、１６  保持壁、１７、１８  接続領域、１９  安定化要素、２０  可動接点スタッド、２１  接続領域、２２、２３  可撓性の導電体、２４、２５、２６、２７  接続領域、２８、２９  固定手段、３ａ、４ａ  冷却体
【図１】
2009536429.tif 000003
【図２】
2009536429.tif 000004
【図３】
2009536429.tif 000005
【国際調査報告】
2009536429.tif 000006
2009536429.tif 000007
2009536429.tif 000008
2009536429.tif 000009